(57)【特許請求の範囲】
【請求項１】
処理対象水が供給される処理槽と、この処理槽内に前記処理対象水に一部浸漬された状態で水平軸心を中心として回転可能に配置され外周壁がメッシュ材からなる固液分離ドラムと、前記メッシュ材の外周面に付着・堆積した浮遊固形物からなる堆積層を剥離回収する回収手段と、前記固液分離ドラム内へ通過した濾水を排出する排水手段とを備え、前記固液分離ドラムのメッシュ材の目開きが150μm以下であり、処理対象水が前記処理槽内におけるドラム浮上側に供給され、前記処理槽の底部と前記固液分離ドラムとの間に、水自体の流通は許容するが水中の浮遊固形物が回転方向と反対側へ通過するのを抑制する動圧発生隙間を有することを特徴とする固液分離装置。
【発明の詳細な説明】
【技術分野】
【０００１】
本発明は、外周面に固液分離処理対象水中の浮遊固形物（懸濁物）による堆積層を形成するドラム状フィルタを用いて前記浮遊固形物を分離回収する固液分離装置を提供するものである。
【背景技術】
【０００２】
近年、廃棄物の減量や再利用による資源の循環、有効利用の重要性が高まっている。食品工場から大量に排出される低濃度の有機性廃水中に含まれる有機物や、近年、都市部において急速に普及してきているディスポーザおよび廃水処理システムから発生する生ゴミ破砕物は、有効利用されることなくそのまま処理されている。これらの有機物はそのままバイオマス資源として利用するには濃度が低すぎ、廃水処理を行うには負荷が高いという問題があるからである。
【０００３】
ここで、廃水から浮遊固形物を分離回収する固液分離装置としては、下記の特許文献に開示されているようなプレコート式の回転ドラムによるものが知られており、製紙業界において、パルプの濃縮や白水処理に用いられている。
【０００４】
従来のプレコート式回転ドラムによる固液分離装置は、処理対象水を貯留する処理槽と、この処理槽内に不図示の水平軸心を中心として回転可能に配置され、外周壁がワイヤクロスや濾布などのメッシュ材からなる固液分離ドラムと、前記メッシュ材の外周面に付着・堆積した浮遊固形物からなる堆積層を剥離回収するスクレーパ又はカッタとを備える。
【０００５】
すなわちこの種の固液分離装置は、処理槽内へ処理対象水を供給すると共に、回転する固液分離ドラムの内部空間から、この固液分離ドラム内へ濾過された水（濾水）を排水することによって、固液分離ドラムのメッシュ材の外周面に処理対象水中の浮遊固形物が付着・堆積した堆積層を形成させ、この堆積層自体の濾過機能を利用して、メッシュ材の目開きサイズより粒子の細かい浮遊固形物を分離回収可能としているものである。そして、固液分離ドラムの回転速度によって廃水処理量、堆積層の厚さ、及び濾水の水質を調整することができる。
【０００６】
なお、この種のプレコート式回転ドラムによる固液分離装置では、処理対象水の浮遊固形物の濃度が低いと堆積層の形成が不均一になるため、濃度は0.5％以上であることが求められる。
【先行技術文献】
【特許文献】
【０００７】
【特許文献１】特開平７−２１３８１９号公報
【特許文献２】特開２０００−２５４４１８号公報
【発明の概要】
【発明が解決しようとする課題】
【０００８】
しかしながら、この種のプレコート式回転ドラムによる固液分離装置は、パルプの濃縮に用いられる場合は、浮遊固形物が繊維状で沈降性が低く、濃度が0.5%以上と高いものであるため、固液分離ドラムのメッシュ材の表面に堆積層が形成されやすく、メッシュ材は目開き300μm程度でも浮遊固形物を効率よく回収できるが、食品工場の廃水や、生活廃水中の浮遊固形物は粒子が細かく、形状も不均一で低濃度に存在しているため、目開き300μm程度のメッシュ材ではこれらを効率よく回収することは困難である。
【０００９】
したがって、製紙に用いられているメッシュサイズの粗い固液分離ドラムによって、製紙白水やセメント廃水のように、浮遊固形物の粒子がより細かい廃水を処理するには、凝集沈殿剤等の助剤を添加することによって堆積層の形成を促す手法や、予めメッシュ材にプレコート剤をコーティングし、固液分離工程においてメッシュ材に形成された浮遊固形物による堆積層を、前記プレコート剤と共に剥離し回収する手法が採られている。しかしながらこの場合は、凝集沈殿剤やプレコート剤を用いることによるコストアップが懸念され、しかも回収物に助剤やプレコート剤が混入してしまうことになるため、回収物を有効利用するには不都合である。
【００１０】
また、プレコート式回転ドラムによる固液分離機の選定に際しては、廃水の性状を確認する必要があるが、メッシュ材のメッシュサイズは既存のサイズからの選定となるため、種々の廃水に対し適正なサイズを選定することができない場合がある。また、廃水量が少ない場合、投入される水中の浮遊固形物の量も少ないため、メッシュサイズやドラムの大きさによっては堆積層を均一に形成することが困難となり、濾過精度が不安定となる問題がある。
【００１１】
本発明は、以上のような点に鑑みてなされたものであって、その技術的課題とするところは、回収した浮遊固形物を有効利用するため、助剤やプレコート剤を用いることなく浮遊固形物にて固液分離ドラム上に堆積層を形成させて、効率よく固液分離を行うことにある。
【課題を解決するための手段】
【００１２】
上述した技術的課題を有効に解決するための手段として、請求項１の発明に係る固液分離装置は、処理対象水が供給される処理槽と、この処理槽内に前記処理対象水に一部浸漬された状態で水平軸心を中心として回転可能に配置され外周壁がメッシュ材からなる固液分離ドラムと、前記メッシュ材の外周面に付着・堆積した浮遊固形物からなる堆積層を剥離回収する回収手段と、前記固液分離ドラム内へ通過した濾水を排出する排水手段とを備え、前記固液分離ドラムのメッシュ材の目開きが150μm以下であり、処理対象水が前記処理槽内におけるドラム浮上側に供給され、前記処理槽の底部と前記固液分離ドラムとの間に、水自体の流通は許容するが水中の浮遊固形物が回転方向と反対側へ通過するのを抑制する動圧発生隙間を有するものである。
【００１３】
上記構成を備える固液分離装置によれば、処理槽内の処理対象水が、固液分離ドラムの内部空間内の濾水との水頭差によって、固液分離ドラムの外周壁のメッシュ材及びその外周面に浮遊固形物の付着・堆積により形成された堆積層を介して濾過され、清澄な濾水となって固液分離ドラムの内部空間へ流入し、この濾水が排水手段により排出され、堆積層は回収手段によって順次剥離回収される。
【００１４】
そして本発明の発明者の研究によれば、固液分離ドラムのメッシュ材の目開きサイズが150μmより大きい場合は、初期の固液分離工程でメッシュ材に予めプレコート剤を塗布しないと、メッシュ材の外周面に浮遊固形物の付着・堆積が起こりにくく、すなわち堆積層が形成されないが、目開きサイズが150μm以下とすれば、初期の固液分離工程でメッシュ材に予めプレコート剤を塗布しなくても、堆積層が形成されることがわかった。したがって、本発明では固液分離ドラムのメッシュ材の目開きを150μm以下としたものである。
【００１５】
また、処理対象水が処理槽内におけるドラム浮上側に供給され、処理槽の底部と固液分離ドラムとの間に、水自体の流通は許容するが水中の浮遊固形物が回転方向と反対側へ通過するのを抑制する動圧発生隙間を有するため、処理槽内の処理対象水の浮遊固形物濃度が、固液分離ドラムの外周がその回転に伴って回収手段により堆積層が剥離されてから水面下へ没入する側が相対的に低濃度で、前記固液分離ドラムの外周がその回転に伴って水面上へ浮上する側が相対的に高濃度となる。
【発明の効果】
【００２１】
本発明によれば、水頭差によって濾過するものであるため、固液分離ドラム内を負圧にする必要がなく、また、固液分離ドラムのメッシュ材の目開きを150μm以下としたことにより、初期の濾過工程でメッシュ材に予めプレコート剤を塗布する必要がないため、コストを低減することができる。
【００２２】
また、処理対象水の浮遊固形物濃度が、固液分離ドラムの外周がその回転に伴って回収手段により堆積層が剥離されてから水面下へ没入する側が相対的に低濃度となり、前記固液分離ドラムの外周がその回転に伴って水面上へ浮上する側が相対的に高濃度となるため、処理槽へ供給される処理対象水に含まれる比較的粒径の大きい浮遊固形物が、ある程度の層厚に成長した堆積層に付着することになり、回収手段によって堆積層が剥離・回収されてから固液分離ドラムの外周が水面へ没入される側では、堆積層未形成のメッシュ材に比較的粒径の大きい浮遊固形物が付着しにくいので、均一な堆積層を形成することができ、しかもこの位置では、処理対象水の浮遊固形物濃度が低いことから、濾液の水質を維持することができる。
【図面の簡単な説明】
【００２８】
【図１】本発明に係る固液分離装置の第一の形態を概略的に示す断面図である。
【図２】本発明に係る固液分離装置の第二の形態を概略的に示す断面図である。
【図３】図１におけるIII−III断面図である。
【図４】本発明に係る固液分離装置の第三の形態を概略的に示す断面図である。
【図５】図４におけるＶ−Ｖ断面図である。
【図６】本発明に係る固液分離装置の第四の形態を概略的に示す断面図である。
【発明を実施するための形態】
【００２９】
以下、本発明に係る固液分離装置の好ましい実施の形態について、図面を参照しながら詳細に説明する。
【００３０】
まず図１は、本発明に係る固液分離装置の第一の形態、図２は同じく第二の形態を示すもので、いずれの形態も、処理対象水Ｗ１を貯留する処理槽１と、この処理槽１内に配置された固液分離ドラム２と、この固液分離ドラム２の外周面に処理対象水Ｗ１中の浮遊固形物により形成された堆積層ＰＣを剥離回収する回収手段３とを備える。
【００３１】
処理槽１には、図３に示される一方の側壁１１における固液分離ドラム２との対向面の下部に位置して排水口１２が開設されている。
【００３２】
固液分離ドラム２は、処理槽１内の処理対象水Ｗ１に浸漬された状態で、水平な仮想軸心を中心として低速回転されるものであって、図３に示されるように、軸方向一側が開放された形状となっている。そして円筒状の外周壁がワイヤクロスなどのメッシュ材２１からなり、開放された側の外径部が、処理槽１の一方の側壁（排水口１２が開設された側壁）１１の内側面に摺動可能に密接されることによって、この側壁１１との間に濾水貯留室Ｓが画成されている。なお、参照符号２２は、固液分離ドラム２の開放された外径部に周設されたシール部材である。
【００３３】
固液分離ドラム２は直径50cm以上のものが採用され、この固液分離ドラム２のメッシュ材２１の目開きは、メッシュ材２１の外周面にプレコート剤を塗布することなく堆積層ＰＣを形成することが可能な150μm以下のものが採用される。メッシュ材の材質としては、ステンレス、亜鉛、真鍮、アルミ等の金属、ポリエチレン、ポリプロピレン、ポリエステル、ポリ塩化ビニル、ナイロン、ポリテトラフルオロエチレン等の合成樹脂、障子紙などのパルプ繊維、ガラス繊維、炭素繊維を使用することが可能である。
【００３４】
図１又は図２において、固液分離ドラム２が時計方向へ回転するものとした場合、この固液分離ドラム２の外周部（堆積層ＰＣ）は、参照符号１ａで示される側（以下、ドラム浮上側１ａという）で処理対象水Ｗ１の水面から浮上し、参照符号１ｂで示される側（以下、ドラム没入側１ｂという）で処理対象水Ｗ１の水面下へ没入する。そして処理槽１の上部には、ドラム没入側１ｂに位置して給水管１３が開口しており、処理槽１内には、この給水管１３により処理槽１内へ供給される処理対象水Ｗ１を、固液分離ドラム２の外周がその回転に伴って水面下へ没入する位置よりも回転方向前方、好ましくは固液分離ドラム２の最下部（軸心を通る鉛直線との交点位置）よりも回転方向前方で初めて固液分離ドラムの外周に接するように、かつ回転方向（時計方向）へ供給されるように導く導流部材１４が設けられている。言い換えれば、この導流部材１４は、処理槽１へ供給される処理対象水Ｗ１をドラム浮上側１ａに偏在する位置へ導くものである。
【００３５】
図１に示される第一の形態では、堆積層ＰＣを剥離して固形物Ｃとして回収する回収手段３は、固液分離ドラム２のメッシュ材２１の外周面に形成された堆積層ＰＣの表面に、処理槽１における処理対象水Ｗ１の水面レベルＬ１より上方で接触しながら、固液分離ドラム２と逆方向へ回転されることによって、前記固液分離ドラム２のメッシュ材２１から堆積層ＰＣを転写・付着させるローラ３１と、このローラ３１に転写・付着された固形物Ｃを掻き取るスクレーパ３２からなる。なお、ローラ３１の表面材としては、例えばゴム、フェルト、スポンジ等、平滑度や弾力性、耐久性を重視した素材が用いられる。
【００３６】
また図２に示される第二の形態では、堆積層ＰＣを剥離・回収する回収手段３は、固液分離ドラム２のメッシュ材２１の外周面に形成された堆積層ＰＣを掻き取るスクレーパ３３からなる。
【００３７】
次に、以上のように構成された固液分離装置を用いて、例えば有機系廃水（生活廃水、食品工場廃水、メタン発酵消化液、有機汚泥など）や、無機系廃水（無機汚泥、セメント廃水、研磨・切削加工廃水、シリコン加工廃水など）から浮遊固形物を分離回収する方法について説明する。
【００３８】
ここで、一般家庭から排出される台所廃水や食品工場から排出される有機系廃水にはディスポーザ破砕物や食品くずが含まれており、製品加工工場から排出される無機系廃水には切削、研磨等の加工により生じた鉄、銅等の金属やシリコン等の粒子が含まれている。したがって、これらの廃水は、前処理として沈降性の良い物質を不図示の沈殿槽などで沈殿させることにより除去した上澄み水として供給されるか、あるいは予めミキサーなどで水中の浮遊固形物を粉砕してスラリー化した懸濁水として供給される。
【００３９】
図１又は図２に示されるように、上述の廃水（処理対象水Ｗ１）は、給水管１３を通じて処理槽１内に供給される。処理槽１に供給された処理対象水Ｗ１は、この処理対象水Ｗ１に浸漬された固液分離ドラム２の濾水貯留室Ｓ内の濾水Ｗ２との水頭差ＨＤによって、固液分離ドラム２の外周壁のメッシュ材２１及びその外周面に浮遊固形物が付着・堆積して形成された堆積層ＰＣにより濾過され、固液分離ドラム２と側壁１１との間の濾水貯留室Ｓへ濾水Ｗ２となって流入し、さらに、処理槽１に開設された排水口１２から排出される。
【００４０】
そして、固液分離ドラム２が図１又は図２における時計方向へ回転する場合、この固液分離ドラム２のメッシュ材２１は、処理対象水Ｗ１の水面よりも上側で回収手段３によって堆積層ＰＣが除去された状態で、ドラム没入側１ｂで処理対象水Ｗ１の水面下へ没入し、この位置から、処理対象水Ｗ１に含まれる浮遊固形物の付着・堆積による堆積層ＰＣの形成が開始され、処理対象水Ｗ１中を時計方向へ回転移動して行くのに伴って、堆積層ＰＣの層厚が増大して行き、ドラム浮上側１ａで水面から浮上して、この堆積層ＰＣが回収手段３によって剥離・回収される、といった動作が１回転毎に繰り返される。
【００４１】
しかしながら、固液分離工程の初期は、固液分離ドラム２のメッシュ材２１の外周面に堆積層ＰＣが全く形成されていないので、粒径がメッシュサイズ以下のすべての浮遊固形物が濾過されずに固液分離ドラム２と側壁１１との間の濾水貯留室Ｓへ通過してしまうことになる。したがって、固液分離工程の初期においては、まず固液分離ドラム２が半分以上水没するまで処理槽１へ処理対象水Ｗ１を供給し、固液分離ドラム２の回転を停止したままで、固液分離ドラム２の濾水貯留室Ｓの濾水Ｗ２を排出せずに排水口１２から不図示のポンプで回収し、再び処理槽１へ供給して循環させる。そしてこのようにすることによって、メッシュ材２１の目開きサイズに相当する粒径の浮遊固形物を含んだ濾水Ｗ２による後段の処理工程での負荷増大を防止することができる。
【００４２】
ここで、固液分離ドラム２のメッシュ材２１には目開き150μm以下のものが採用されているため、プレコート剤を塗布しなくても、メッシュ材２１の表面には前記浮遊固形物の付着・堆積による堆積層ＰＣが経時的に形成される。堆積層ＰＣが形成されると、この堆積層ＰＣ自体が濾過機能を持つようになるので、堆積層ＰＣの堆積厚さの増大に伴い、粒径がメッシュ材２１の目開きより粒径の小さい浮遊固形物も有効に分離されるようになる。このため、固液分離ドラム２の回転を停止したままで、濾水貯留室Ｓから濾水Ｗ２を処理槽１へ還流させて循環させることによって、処理槽１から固液分離ドラム２内への通水速度が徐々に減少すると共に、濾水Ｗ２の浮遊固形物の濃度が低下し、処理槽１の水位Ｌ１が上昇して、固液分離ドラム２内の濾水Ｗ２と処理槽１内の処理対象水Ｗ１との水頭差ＨＤが大きくなって行く。
【００４３】
このため、固液分離ドラム２のメッシュ材２１の外周面に形成される堆積層ＰＣが十分な層厚となって、前記水頭差ＨＤが所定値に達した時点で、処理槽１への濾水Ｗ２の循環を終了し、固液分離ドラム２の回転及び後段の処理工程への濾水Ｗ２の排水を開始すれば良い。なお、固液分離ドラム２の回転及び後段の処理工程への濾水Ｗ２の排水を開始するための指標としては、水頭差ＨＤが20cm以上とするのが好ましい。
【００４４】
また、ドラム没入側１ｂの水面近傍では固液分離ドラム２のメッシュ材２１の外周面には堆積層ＰＣが形成されていないため、固液分離ドラム２の回転速度が速いほど堆積層ＰＣの形成されていない部分が円周方向へ長くなって、処理対象水Ｗ１が固液分離ドラム２内へ通過しやすくなる。すなわち、固液分離ドラム２の回転速度が速いほど、処理槽１内の水位Ｌ１が低くなると共に固液分離ドラム２内の水位Ｌ２が高くなるので、水頭差ＨＤが小さくなる。
【００４５】
したがって、水位Ｌ１が上昇し、あるいは水位Ｌ２が低下したら回転速度を速くし、逆に水位Ｌ１が低下し、あるいは水位Ｌ２が上昇したら回転速度を遅くするといった制御を行うことによって、水頭差ＨＤを例えば常にほぼ20cmを保つようにして、濃度の安定した濾水Ｗ２を得るようにすることができる。
【００４６】
なお、回転によって固液分離ドラム２が水中へ没入する位置は、堆積層ＰＣの形成が開始される部分であるため、給水管１３からの処理対象水Ｗ１がこの位置へ供給される場合は、処理対象水Ｗ１に含まれる比較的粒径の大きい浮遊固形物が付着して、堆積層２が不均一かつ粗な状態に形成されてしまいやすく、このため濾水Ｗ２の水質が不安定になりやすい。
【００４７】
これに対し、本発明によれば、給水管１３を通じて処理槽１に供給される処理対象水Ｗ１は、この処理槽１内に設けられた導流部材１４によって、固液分離ドラム２の最下部よりも回転方向前方、すなわちドラム浮上側１ａに偏在する位置で初めて固液分離ドラムの外周に接するように導かれており、固液分離ドラム２の回転方向及び処理対象水Ｗ１の供給方向が同じであるため、処理対象水Ｗ１に含まれる比較的粒径の大きい浮遊固形物は、処理槽１内のうちドラム浮上側１ａ（固液分離ドラム２の最下部よりも回転方向前方）に分布し、ドラム没入側１ｂ（固液分離ドラム２の最下部よりも回転方向後方）には、相対的に粒径が小さい浮遊固形物が分布するようになる。
【００４８】
すなわち、処理槽１内の処理対象水Ｗ１には、ドラム没入側１ｂで相対的に低く、ドラム浮上側１ａで相対的に高くなるような浮遊固形物濃度勾配が発生する。
【００４９】
したがって、処理対象水Ｗ１に含まれる比較的粒径の大きい浮遊固形物は、堆積層ＰＣの形成が開始されてから時計方向へ移動するのに伴い、堆積層ＰＣがある程度の層厚になる固液分離ドラム２の最下部位置以降で堆積層ＰＣに付着することになり、ドラム没入側１ｂには、相対的に粒径が小さい浮遊固形物が分布することになる。したがって、堆積層ＰＣが未形成の部分が没入する位置（ドラム没入側１ｂ）では処理対象水Ｗ１の浮遊固形物濃度が低いことから、この部分で濾過された濾液Ｗ２も水質が良好に維持される。
【００５０】
なお、処理対象水Ｗ１が有機系廃水である場合、回収手段３によって回収された有機系固形物は、バイオマス資源として活用することができ、例えばメタン、水素、エタノール等のバイオマスエネルギーや、堆肥として用いることが可能である。また、洗剤等が混入しにくい食品工場廃水の場合は、回収したバイオマスを飼料として活用することも可能である。
【００５１】
また、処理対象水Ｗ１が製品加工工場から排出される無機系廃水である場合、このような廃水には切削、研磨等の加工により生じた鉄、銅等の金属、あるいはシリコン等が含まれているため、回収手段３によって回収された無機系固形物は純度が高いリサイクル資源として利用することができる。
【００５２】
次に図４は、本発明に係る固液分離装置の第三の形態を示す概略的な断面図、図５は、図４におけるＶ−Ｖ断面図である。この第三の形態の形態において、上述した第一又は第二の形態と異なるところは、固液分離ドラム２の開放された側の外径部が摺動可能に接触される処理槽１の一方の側壁１１の外側に、排水口１２を介して固液分離ドラム２の内周の濾水貯留室Ｓと連通する濾水還流槽１５が設けられ、排水口１２を通じて濾水貯留室Ｓから濾水還流槽１５へ流れ込んだ濾水Ｗ２を、ポンプ１６及びバルブ１７，１８によって、後段の処理工程又は給水管１３へ選択的に送ることができるようになっている。
【００５３】
したがって先に説明したように、固液分離工程の初期において固液分離ドラム２の濾水貯留室Ｓの濾水Ｗ２を処理槽１へ還流させて循環させることにより固液分離ドラム２のメッシュ材２１の外周面に堆積層ＰＣを形成させたり、その後、十分に濃度が低下した濾水Ｗ２を後段の処理工程へ送るといった切り替えを容易に行うことができる。
【００５４】
処理槽１内の処理対象水Ｗ１の浮遊固形物濃度が、ドラム没入側１ｂで相対的に低濃度、ドラム浮上側１ａで相対的に高濃度となるように、処理槽１へ供給される処理対象水Ｗ１をドラム浮上側１ａに偏在する位置へ導く手段としては、上述した導流部材１４のほか、例えば処理対象水Ｗ１を、ドラム浮上側１ａに供給することによっても実現することができる。
【００５５】
図６はその一例として、本発明に係る固液分離装置の第四の形態を示す概略的な断面図である。すなわちこの第四の形態の特徴は、給水管１３をドラム浮上側１ａの水面近傍に開口させ、処理槽１の底部と固液分離ドラム２との間の隙間Ｇを可及的に狭くしたことにある。その他の部分は、基本的には先に説明した図１、図２、図３、図４あるいは図５と同様に構成することができる。
【００５６】
この第四の形態によれば、給水管１３からの処理対象水Ｗ１は、処理槽１のうちドラム浮上側１ａに供給され、しかも処理槽１の底部と固液分離ドラム２との間の隙間Ｇが狭いことによって、この隙間Ｇには、水自体の流通は許容するが水中の浮遊固形物が回転方向と反対側（ドラム没入側１ｂ）へ通過するのを抑制するように作用する動圧が発生する。このため、先に説明した各形態と同様、処理槽１内の処理対象水Ｗ１の浮遊固形物濃度勾配は、ドラム没入側１ｂで相対的に低く、ドラム浮上側１ａで相対的に高くなる。またこのため、給水管１３からドラム浮上側１ａに供給された処理対象水Ｗ１に含まれる比較的粒径の大きい浮遊固形物は、処理槽１内のうちドラム浮上側１ａに分布し、ドラム没入側１ｂには、相対的に粒径が小さい浮遊固形物が分布するようになる。
【００５７】
したがって、処理対象水Ｗ１に含まれる比較的粒径の大きい浮遊固形物は、堆積層ＰＣの形成が開始されてから時計方向へ移動するのに伴い、堆積層ＰＣがある程度の層厚になるドラム浮上側１ａで堆積層ＰＣに付着することになり、ドラム没入側１ｂには、相対的に粒径が小さい浮遊固形物が分布することになる。このため、堆積層ＰＣが未形成の部分が没入するドラム没入側１ｂでは処理対象水Ｗ１の浮遊固形物濃度が低いことから、この部分で濾過された濾液Ｗ２も水質が良好に維持される。
【産業上の利用可能性】
【００５８】
本発明によれば、有機系廃水（生活廃水、食品工場廃水、メタン発酵消化液、有機汚泥など）や、無機系廃水（無機汚泥、セメント廃水、研磨・切削加工廃水、シリコン加工廃水など）から、薬剤を添加することなく浮遊固形物を分離回収することができるので、特に、廃水処理の初段に設置し、廃水中の浮遊固形物を除去して後段の処理負荷を低減させる手段として有効に利用することができる。また、回収された固形分のうち、有機物はバイオマス資源として、無機物は適正処理により再利用することが可能であり、廃棄、処理費用のコストダウンが可能である。
【符号の説明】
【００５９】
１  処理槽
１ａ  ドラム浮上側
１ｂ  ドラム没入側
１２  排水口
１３  給水管
１４  導流部材
１５  濾水還流槽
２  固液分離ドラム
２１  メッシュ材
３  回収手段
３１  ローラ
３２，３３  スクレーパ
ＰＣ  堆積層
Ｓ  濾水貯留室
Ｗ１  処理対象水
Ｗ２  濾水
【図１】
0005512196.tif 000002
【図２】
0005512196.tif 000003
【図３】
0005512196.tif 000004
【図４】
0005512196.tif 000005
【図５】
0005512196.tif 000006
【図６】
0005512196.tif 000007